(57)【要約】【課題】  書籍類１１の通常の取り扱いの妨げにはならず、しかも、長期的に信頼性の高い、書籍類の管理システムを提供する。【解決手段】  電子タグ１３が、書籍類１１の表表紙および／または裏表紙とほぼ平行になるように、上記表表紙および／または裏表紙に設けられ、リーダ用アンテナ２１が、棚板６〜８の表面にほぼ平行になるように棚板６〜８に設けられたほぼループ形状のアンテナパターン２５を備えている。【選択図】図１
2006235946.tif 000002
【特許請求の範囲】
【請求項１】
リーダ用アンテナが書棚の棚板上に並べられる書籍類に設けられた電子タグとの無線通信を行うことによって、書籍類の管理を行うようにしたシステムにおいて、
上記電子タグが、書籍類の表表紙および／または裏表紙とほぼ平行になるように、上記表表紙および／または裏表紙に設けられ、
上記リーダ用アンテナが、上記棚板の表面にほぼ平行になるように上記棚板に設けられたほぼループ形状のアンテナパターンを備えていることを特徴とする、書籍類の管理システム。
【請求項２】
上記アンテナパターンが、平面的に見て交差部位を有さないように、上記棚板の外周囲にほぼ沿ったほぼループ形状に構成され、
上記ほぼループ形状のアンテナパターンのうちの上記棚板のほぼ間口方向に延びている少なくとも１つのパターン部分のうち少なくとも一部分が、上記棚板の奥行方向に屈曲している屈曲部を有していることを特徴とする、請求項１に記載の管理システム。
【請求項３】
上記屈曲部が、上記棚板の間口方向に対して４０°〜１４０°の角度範囲で傾いているパターン部位を有することを特徴とする、請求項２に記載の管理システム。
【請求項４】
上記リーダ用アンテナが、共通の棚板に複数個設けられ、
これら複数個のリーダ用アンテナのそれぞれの上記ほぼループ形状のアンテナパターンが、上記棚板上の通信不能領域を相互に補うように、平面的に見て、上記屈曲部を上記棚板の間口方向に相互にずらした状態でそれぞれ配されていることを特徴とする、請求項２または３に記載の管理システム。
【請求項５】
上記複数個のリーダ用アンテナが、順次動作することを特徴とする、請求項４に記載の管理システム。
【請求項６】
上記複数個のリーダ用アンテナのそれぞれの上記ほぼループ形状のアンテナパターンのそれぞれの上記屈曲部が、平面的に見て、相互に重ならない部分を有していることを特徴とする、請求項４または５に記載の管理システム。
【請求項７】
書棚に収納される書籍類がその上に並べられるのに用いられかつリーダ用アンテナが設けられた棚板において、
上記リーダ用アンテナのほぼループ形状のアンテナパターンが、平面的に見て交差部位を有さないようにかつ上記棚板の表面にほぼ平行になるように、上記棚板の外周囲にほぼ沿ったほぼループ形状に構成され、
上記ほぼループ形状のアンテナパターンのうちの上記棚板のほぼ間口方向に延びている少なくとも１つのパターン部分の少なくとも一部分が、上記棚板の奥行方向に屈曲している屈曲部を有していることを特徴とする、書棚用のアンテナ付き棚板。
【請求項８】
上記屈曲部が、上記棚板の間口方向に対して４０°〜１４０°の角度範囲で傾いているパターン部位を有することを特徴とする、請求項７に記載のアンテナ付き棚板。
【請求項９】
上記リーダ用アンテナが、共通の棚板に複数個設けられ、
これら複数個のリーダ用アンテナのそれぞれの上記ほぼループ形状のアンテナパターンが、上記棚板上の通信不能領域を相互に補うように、平面的に見て、上記屈曲部を上記棚板の間口方向に相互にずらした状態でそれぞれ配されていることを特徴とする、請求項７または８に記載のアンテナ付き棚板。
【請求項１０】
上記複数個のリーダ用アンテナのそれぞれの上記ほぼループ形状のアンテナパターンのそれぞれの上記屈曲部が、平面的に見て、相互に重ならない部分を有していることを特徴とする、請求項９に記載のアンテナ付き棚板。
【請求項１１】
上記リーダ用アンテナが、共通の棚板に２個設けられ、
これら２個のリーダ用アンテナのそれぞれの上記ほぼループ形状のアンテナパターンのそれぞれは、棚板の間口方向に沿ってほぼ等間隔に配された互いにほぼ同形で複数個の上記屈曲部を有し、
上記複数個の屈曲部が、棚板の間口方向に対してほぼ９０°の角度で屈曲している屈曲パターン部位をそれぞれ有し、
棚板の間口方向においては、第１のリーダ用アンテナの上記複数個の屈曲部の上記屈曲パターン部位が、第２のリーダ用アンテナの上記複数個の屈曲部の上記屈曲パターン部位のほぼ中間に順次配されていることを特徴とする、請求項９または１０に記載のアンテナ付き棚板。
【請求項１２】
書棚に収納される書籍類がその上に並べられるのに用いられかつ複数個のリーダ用アンテナが共通に設けられた棚板の製造方法であって、
上記棚板においては、上記複数個のリーダ用アンテナのそれぞれのほぼループ形状のアンテナパターンが、平面的に見て交差部位を有さないようにかつ上記棚板の表面にほぼ平行になるように、上記棚板の外周囲にほぼ沿ったほぼループ形状に構成され、
上記棚板においては、それぞれの上記ほぼループ形状のアンテナパターンのうちの上記棚板のほぼ間口方向に延びている少なくとも１つのパターン部分の少なくとも一部分が、上記棚板の奥行方向に屈曲している屈曲部を有し、
上記棚板においては、これら複数個のリーダ用アンテナのそれぞれの上記ほぼループ形状のアンテナパターンが、上記棚板上の通信不能領域を相互に補うように、平面的に見て、上記屈曲部を上記棚板の間口方向に相互にずらした状態でそれぞれ配されている、書棚用のアンテナ付き棚板の製造方法において、
上記複数個のリーダ用アンテナについて、棚板のほぼ全域にわたって電子タグとの通信可能領域および／または通信不可領域をそれぞれの測定に基づいて決定し、
上記複数個のリーダ用アンテナのうちのいくつかのアンテナの通信可能領域が上記複数個のリーダ用アンテナのうちの残りのいくつかの通信不能領域を補うように、上記複数個のリーダ用アンテナを上記棚板に共通に配するようにしたことを特徴とする、書棚用のアンテナ付き棚板の製造方法。
【発明の詳細な説明】
【技術分野】
【０００１】
本発明は、書棚の棚板に設けられたリーダ用アンテナが書棚の棚板上に並べられる書籍類に設けられた電子タグとの無線通信を行うことによって、書籍類の管理を行うようにしたシステムに関するものである。また、本発明は、書棚に収納される書籍類がその上に並べられるのに用いられかつリーダ用アンテナが設けられた棚板およびその製造方法にも関するものである。
【０００２】
本文において、「書籍類」とは、書籍のみならず、新聞、雑誌、資料、書類、その他の紙製媒体や、このような紙製媒体をバインダなどにより綴じ込むことによって作成された書類綴じ込みファイルや、ＣＤ、ＤＶＤなどの光記録媒体や、ビデオテープ、オーディオテープなどの磁気記録媒体も含んでいる。
【背景技術】
【０００３】
従来から、図書館などの書籍管理システムとして、書籍１冊毎にその表紙面（すなわち、表表紙面または裏表紙面）にバーコードを貼り付け、このバーコードをバーコードリーダにより走査してその情報をコンピュータに取り込むことによって、書籍を管理するシステムが普及している。
【０００４】
一方、商品などの物品の入出庫、在庫、販売などの管理システムとして、近年、従来の荷札、棚札、バーコードなどを用いるシステムに代えて、大容量の情報を非接触で記録することができるＲＦＩＤ（Radio Frequency Identification）システムが各方面で採用されつつある。このＲＦＩＤシステムは、物品側に取付けられる電子タグと、この電子タグと無線通信により交信するためのアンテナを備えたリーダライタとから構成されている。この電子タグは、無線タグまたはＩＣタグとも呼ばれていて、情報が記録されるメモリが組み込まれたＩＣチップと、小型アンテナとをそれぞれ含む通信回路から成っている。また、リーダライタは通常は固定局であるから、上記リーダライタ用アンテナは一般的には固定されている。そして、物品またはその収納ケースなどに取り付けられた電子タグがリーダライタ用アンテナに接近すると、両者の間で情報の交換を行うことができる。
【０００５】
最近では、このようなＲＦＩＤシステムによって図書館などにおいて書籍の管理を行うことも提案されている。具体的には、書籍を収納する書棚に設置したリーダライタ用アンテナが書籍の背表紙に貼り付けた電子タグとの無線通信を行うことによって、リーダライタ用アンテナと情報を記録した電子タグとの間で情報の授受が行われるシステムが開発されている。例えば、特開２００４−２６９０７９号公報には、情報を記録した電子タグを書籍の背表紙に貼り付けるとともにほぼ長方形状の単純ループ型のリーダライタ用アンテナを書棚の棚板に設け、この棚板上に載せた書籍の電子タグとリーダライタ用アンテナとの間で電磁誘導方式により交信することによって、書籍を管理するシステムが開示されている。
【特許文献１】特開２００４−２６９０７９号公報
【０００６】
また、特開２００３−７２９１９号公報および特開２００３−２５２４０９号公報にも、同様のシステムでもって、書籍の表紙面に貼り付けた電子タグとリーダライタ用アンテナとの間で交信を行うことがそれぞれ開示されている。この特開２００３−７２９１９号公報に開示されている書籍の管理システムの場合には、個々のリーダライタ用アンテナは、ほぼ四角形、円形または直線形に形成されたほぼループ形状であり、複数個のリーダライタ用アンテナを書棚の書籍収納空間の共通の面（すなわち、背面、底面または上面）に少しずつ位置をずらせて互いに近接して配設し、これら複数個のリーダライタ用アンテナと切替手段とを同じ長さの接続線で互いに接続している。そして、複数個のリーダライタ用アンテナのうちの通信動作をするアンテナを順次切替えることによって、リーダライタ用アンテナが書棚の棚板上のいずれの位置にある書籍の電子タグとも交信できるようにしている。また、上記特開２００３−２５２４０９号公報に開示されている書籍管理システムの場合には、リーダライタ用アンテナは、アンテナモジュールを構成する基板に形成され、この基板は、書棚の背面に配設されている。また、書籍の表紙面に貼り付けた電子タグは、平面状に巻回された空芯コイルと、この空芯コイルの平面に対して平行になるように空芯コイルに挿入された板状の鉄芯とから成っている。そして、この電子タグを用いて上記リーダライタ用アンテナと交信することによって、書籍の管理を行うようにしている。
【特許文献２】特開２００３−７２９１９号公報
【特許文献３】特開２００３−２５２４０９号公報
【発明の開示】
【発明が解決しようとする課題】
【０００７】
しかし、上記特開２００４−２６９０７９号公報に開示されている書籍の管理システムの場合には、つぎの（Ａ）項〜（Ｄ）項に記載のような問題点がる。これらの問題点が生じる理由は、これらの（Ａ）項〜（Ｄ）項のそれぞれの記載のつぎに順次記載する（ａ）項〜（ｄ）項に記載のとおりである。
（Ａ）書棚の棚板上に並べられた書籍に記載された事項を人が認識することが、書籍の背表紙に貼り付けられた電子タグによって妨げられ易い。
（ａ）図書館などでは、書籍の分類が進んでいるから、目的とする書籍がどの書棚にあるのかは判るが、目的とする書籍を書棚の中から探し出すのは人である。人は、書棚の棚板上に並べられた書籍の背表紙に記載された署名、著者名、背表紙に貼り付けられた分類マークなどの情報を視認して、目的とする書籍を探し出す。ところが、電子タグが書籍の背表紙に貼り付けられている場合には、これらの情報が少なくとも部分的に隠されることがある。
（Ｂ）書籍の背表紙に電子タグを貼り付けるのが困難なことがある。
（ｂ）電子タグのアンテナは、多少離れた位置にあるリーダライタ用アンテナとの間で電波を送受信するためには、数ｃｍ程度の大きさを必要とするから、このような大きさよりも薄い書籍の背表紙に電子タグを貼り付けるのは困難である。また、バインダを構成するリングによって書類が綴じ込まれている書類綴じ込みファイルの場合には、このような書類綴じ込みファイルの背表紙に電子タグを貼り付けること自体が難しい。
（Ｃ）電子タグが書籍の背表紙から剥がれ易い。
（ｃ）書籍の背表紙は、表表紙および裏表紙とそれぞれつながっていて、書籍を開いたり閉じたりするのに伴って変形するから、背表紙に貼り付けた電子タグがこのような書籍の開閉の繰り返しによって剥がれることがある。
（Ｄ）書籍の背表紙に貼り付けた電子タグ内のＩＣチップが故障し易い。
（ｄ）電子タグが貼り付けられる書籍の背表紙は、必ずしも平坦ではなく、或る程度厚みのある書籍の場合には曲面を有するものが多いから、電子タグが背表紙に密着性良く貼り付けられた場合には、電子タグに曲げ応力が加わり易い。また、書籍を机上に置いて開いた場合には、背表紙に荷重が加わり易いから、電子タグが変形してこの電子タグに応力が加わり易く、また、電子タグが衝撃を受け易い。
【特許文献１】特開２００４−２６９０７９号公報
【０００８】
上記（Ａ）項〜（Ｄ）項に記載のような問題点を解決するためには、従来から普及しているバーコード方式の場合と同様に、書籍の表表紙面または裏表紙面に電子タグを貼り付けるのが望ましい。しかし、電子タグを書籍の表表紙面または裏表紙面に貼り付けた場合、リーダライタ用アンテナがほぼ長方形状などの単純ループ型アンテナであれば、図１４および図１５に関連して後述するように、書棚の書籍収納空間のうちの書籍の取り出し側から見た左右両端付近に収納されている書籍としか交信することができないという問題点がある。
【０００９】
また、特開２００３−７２９１９号公報に開示されている書籍の管理システムは、リーダライタ用アンテナが書籍の電子タグと交信することができない交信不能領域を減少させることを目的としている。しかし、この書籍の管理システムの場合、図書館などにおいて一般的に用いられる或る程度の長さの書棚のそれぞれの段の書籍収納空間に多数個のリーダライタ用アンテナを設ける必要があり、これら多数個のリーダライタ用アンテナのうちの通信動作をするアンテナを順次切り替える制御を行う切替手段も必要であるから、コストが増大するという問題点がある。また、このような問題点を低減させるために、ほぼ四角形、円形または直線形に形成されたループ型のリーダライタ用アンテナのそれぞれのループの面積を大きくした場合、これらのアンテナでもってしては書籍収納空間全体の磁場を補いきれなくなるから、アンテナが書籍の電子タグの情報を読み取ることができない交信不能領域が発生するという問題点がある。
【特許文献２】特開２００３−７２９１９号公報
【００１０】
さらに、特開２００３−２５２４０９号公報に開示されている書籍の管理システムの場合には、アンテナモジュールを構成する基板が通常の書棚とは別に必要であり、また、板状の鉄芯を有する特殊な電子タグを用いる必要があるという問題点がある。
【特許文献３】特開２００３−２５２４０９号公報
【００１１】
本発明は、上述のように問題点を解決するために発明されたものであって、書籍類の通常の取り扱いの妨げにはならず、しかも、長期的に信頼性の高い、書籍類の管理システムならびにこのような管理システムに用いられる書棚用のアンテナ付き棚板およびその製造方法を提供することを目的としている。
【課題を解決するための手段】
【００１２】
本発明は、その第１の観点によれば、リーダ用アンテナが書棚の棚板上に並べられる書籍類に設けられた電子タグとの無線通信を行うことによって、書籍類の管理を行うようにしたシステムにおいて、上記電子タグが、書籍類の表表紙および／または裏表紙とほぼ平行になるように、上記表表紙および／または裏表紙に設けられ、上記リーダ用アンテナが、上記棚板の表面にほぼ平行になるように上記棚板に設けられたほぼループ形状のアンテナパターンを備えていることを特徴とする、書籍類の管理システムに係るものである。本発明のこの第１の観点においては、上記アンテナパターンが、上面から棚板を見た投影図において（換言すれば、平面的に見て）交差部位を有さないように、上記棚板の外周囲にほぼ沿ったほぼループ形状に構成され、上記ほぼループ形状のアンテナパターンのうちの上記棚板のほぼ間口方向に延びている少なくとも１つのパターン部分のうち少なくとも一部分が、上記棚板の奥行方向に屈曲している屈曲部を有しているのが好ましい。また、本発明の上記第１の観点においては、上記電子タグは、書籍類の表表紙および／または裏表紙の外側面や内側面に取り付けられることができるだけでなく、上記表表紙および／または裏表紙の厚み方向における中間部分に埋め込まれることもできる。さらに、本発明の上記第１の観点においては、上記リーダ用アンテナは、リーダライタのライタ用アンテナを兼用しているのが好ましく、そして、上記リーダライタのうちのリーダライタ用アンテナ以外の部分（換言すれば、リーダライタ本体）も、上記書棚に設けられているのが好ましい。
【００１３】
本発明は、その第２の観点によれば、書棚に収納される書籍類がその上に並べられるのに用いられかつリーダ用アンテナが設けられた棚板において、上記リーダ用アンテナのほぼループ形状のアンテナパターンが、平面的に見て交差部位を有さないようにかつ上記棚板の表面にほぼ平行になるように、上記棚板の外周囲にほぼ沿ったほぼループ形状に構成され、上記ほぼループ形状のアンテナパターンのうちの上記棚板のほぼ間口方向に延びている少なくとも１つのパターン部分の少なくとも一部分が、上記棚板の奥行方向に屈曲している屈曲部を有していることを特徴とする、書棚用のアンテナ付き棚板に係るものである。
【００１４】
さらに、本発明は、その第３の観点によれば、書棚に収納される書籍類がその上に並べられるのに用いられかつ複数個（例えば、２個）のリーダ用アンテナが共通に設けられた棚板の製造方法であって、上記棚板においては、上記複数個のリーダ用アンテナのそれぞれのほぼループ形状のアンテナパターンが、平面的に見て交差部位を有さないようにかつ上記棚板の表面にほぼ平行になるように、上記棚板の外周囲にほぼ沿ったほぼループ形状に構成され、上記棚板においては、それぞれの上記ほぼループ形状のアンテナパターンのうちの上記棚板のほぼ間口方向に延びている少なくとも１つのパターン部分の少なくとも一部分が、上記棚板の奥行方向に屈曲している屈曲部を有し、上記棚板においては、これら複数個のリーダ用アンテナのそれぞれの上記ほぼループ形状のアンテナパターンが、上記棚板上の通信不能領域を相互に補うように、平面的に見て、上記屈曲部を上記棚板の間口方向に相互にずらした状態でそれぞれ配されている、書棚用のアンテナ付き棚板の製造方法において、上記複数個のリーダ用アンテナについて、棚板のほぼ全域にわたって電子タグとの通信可能領域および／または通信不可領域をそれぞれの測定に基づいて決定し、上記複数個のリーダ用アンテナのうちのいくつかのアンテナの通信可能領域が上記複数個のリーダ用アンテナのうちの残りのいくつかの通信不能領域を補うように、上記複数個のリーダ用アンテナを上記棚板に共通に配するようにしたことを特徴とする、書棚用のアンテナ付き棚板の製造方法に係るものである。
【００１５】
本発明の上記第１〜第３の観点においては、上記屈曲部が、上記棚板の間口方向に対して４０°〜１４０°（さらに好ましくは、５０°〜１３０°）の角度範囲で傾いているパターン部位を有しているのが好ましい。また、本発明の上記第１〜第３の観点においては、上記屈曲部が、立上り部および立下り部をそれぞれ有し、これらの立上り部および立下り部が、上記棚板の間口方向に対して４０°〜１４０°（さらに好ましくは、５０°〜１３０°）の角度範囲（以下、「前記所定角度範囲」という。）で傾いているパターン部位をそれぞれ有しているのが好ましい。さらに、本発明の上記第１〜第３の観点においては、上記リーダ用アンテナを構成するアンテナパターンは、棚板の上面および／または下面に形成されることができるだけでなく、棚板の厚み方向における中間部分に埋め込むこともできる。
【００１６】
本発明の上記第２および第３の観点においては、上記リーダ用アンテナは、リーダライタ用アンテナを兼用しているのが好ましい。また、本発明の上記第１〜第３の観点においては、棚板は、間口方向に細長いほぼ長方形状であるのが好ましいが、ほぼ円弧形状、ほぼ円形状（この場合は、回転式であってもよい。）、ほぼＵ字形状、ほぼＶ字形状などの別の形状であってもよい。
【００１７】
本発明の上記第１〜第３の観点においては、上記屈曲部は、ほぼ凸形状、ほぼ凹形状、ほぼ凸形状とほぼ凹形状とが入り混じった形状などであってよく、具体的には、ほぼ三角形状、ほぼ長方形状などであってよい。さらに、本発明の上記第１〜第３の観点においては、棚板のほぼ間口方向に延びている少なくとも１つのパターン部分が、連続的に順次繰り返される複数個（好ましくは、多数個）の屈曲部から実質的に構成されることができ、また、間欠的に順次繰り返される複数個（好ましくは、多数個）の屈曲部から実質的に構成されることもできる。
【００１８】
また、本発明の上記第１〜第３の観点においては、上記リーダ用アンテナが、共通の棚板に複数個（例えば、２個）設けられ、これら複数個のリーダ用アンテナのそれぞれの上記ほぼループ形状のアンテナパターンが、上記棚板上の通信不能領域を相互に補うように、平面的に見て、上記屈曲部を上記棚板の間口方向に相互にずらした状態でそれぞれ配されているのが好ましい。この場合、上記複数個のリーダ用アンテナが、順次に動作するのが好ましい。また、上記複数個のリーダ用アンテナのそれぞれの上記ほぼループ形状のアンテナパターンのそれぞれの上記屈曲部が、平面的に見て、相互に重ならない部分を有しているのが好ましい。さらに、上記リーダ用アンテナが、共通の棚板に２個設けられ、これら２個のリーダ用アンテナのそれぞれの上記ほぼループ形状のアンテナパターンのそれぞれは、棚板の間口方向に沿ってほぼ等間隔に配された互いにほぼ同形で複数個の上記屈曲部を有し、上記複数個の屈曲部が、棚板の間口方向に対してほぼ９０°の角度で屈曲している屈曲パターン部位をそれぞれ有し、棚板の間口方向においては、第１のリーダ用アンテナの上記複数個の屈曲部の上記屈曲パターン部位が、第２のリーダ用アンテナの上記複数個の屈曲部の上記屈曲パターン部位のほぼ中間に順次配されているのが好ましい。
【発明の効果】
【００１９】
請求項１に記載の発明によれば、電子タグが、書棚の棚板上に並べられる書籍類の表表紙および／または裏表紙とほぼ平行になるように、上記表表紙および／または裏表紙に設けられているので、書籍類の記載事項の認識が電子タグによって妨げられる恐れがなく、書籍類への電子タグの取付けが比較的簡単であり、電子タグが書籍類から剥がれにくく、電子タグ内のＩＣチップなどが故障しにくい。また、リーダ用アンテナのほぼループ形状のアンテナパターンが書棚の棚板に設けられているので、通常の書棚をそのまま用いることができて、書棚の構造を特に複雑にする必要がない。
【００２０】
また、請求項２、７および１２に記載の発明によれば、棚板に設けられたリーダ用アンテナのほぼループ形状のアンテナパターンのうちの棚板のほぼ間口方向に延びている少なくとも１つのパターン部分のうちの少なくとも一部分が、棚板の奥行方向に屈曲している屈曲部を有しているので、図９Ａおよび図９Ｂに関連して後に詳述するように、リーダ用アンテナが書籍類の表表紙および／または裏表紙に設けられた電子タグとの無線通信を良好に行うことができる。
【００２１】
また、請求項３および８に記載の発明によれば、書棚の棚板のほぼ間口方向に延びている少なくとも１つのパターン部分が、棚板上に並べられる書籍類に設けられている電子タグの面に対して９０°またはその近傍の角度にはなりにくいパターン部位を有しているので、リーダ用アンテナが電子タグとの無線通信をさらに良好に行うことができる。
【００２２】
さらに、請求項４、６、９および１０に記載の発明によれば、棚板上に並べられる書籍類に設けられた電子タグとの通信不能領域をできるだけ少なくした比較的簡単な構成のアンテナ付き棚板を得ることができる。この場合、請求項５に記載の発明によれば、複数個のリーダ用アンテナの相互の干渉を効果的に防止することができる。
【００２３】
さらに、請求項１２に記載の発明によれば、棚板上に並べられる書籍類に設けられた電子タグとの通信不能領域をできるだけ少なくした比較的簡単な構成のアンテナ付き棚板を比較的簡単な作業でもって得ることができる。
【発明を実施するための最良の形態】
【００２４】
つぎに、本発明を書籍類の管理システムにそれぞれ適用した第１〜第５の実施例を、「（１）第１の実施例」、「（２）第２〜第４の実施例」、「（３）通信可能距離測定実験」および「（４）第５の実施例」に項分けして、図面を参照しつつ説明する。
【００２５】
（１）第１の実施例
図１〜図５に示す第１の実施例における書棚１は、図１に示すように、向かって左側の側板２、向かって右側の側板３、背面板４、天板５および底板６から構成されたほぼ箱蓋形状（換言すれば、ほぼ直方体形状）を有している。これら左右一対の側板２、３、背面板４、天板５および底板６は、合成樹脂、ガラス、木などの適当な材料からそれぞれ構成されることができ、底板６は、最下段の棚板を兼用している。書棚１は、ガラス、合成樹脂などからほぼ透明に構成されているのが好ましい前面板（図示せず）を備えていてもよく、このような前面板は、左右一対の引き戸構造であってよい。図示の実施例においては、左右一対の側板２、３は、底板６から下方に若干突出するように構成され、これら左右一対の突出部によって、左右一対の支持脚９ａ、９ｂがそれぞれ形成されている。
【００２６】
書棚１は、ガラス、合成樹脂、木などの非金属性の適当な材料からそれぞれ構成されている上段の棚板７、中段の棚板８および下段の上記棚板６を備えている。これらの棚板６〜８は、左右一対の側端部を適当な支持手段（図示せず）によって左右一対の側板２、３などに支持されることができる。
【００２７】
棚板６〜８上には、図１および図３に示すように、書籍類１１がこれらの棚板６〜８の長さ方向（換言すれば、間口が延在している間口方向）に順次配列されて並べられる。これらの書籍類１１は、図２に示すように、表表紙１２の面とほぼ平行になるようにこの表表紙１２の外側面に貼り付けられたシート形状の電子タグ１３をそれぞれ備えている。このような電子タグ１３は、図５に示すように、この電子タグ１３の中心とその中心がほぼ一致している１回巻きまたは複数回巻きの小型アンテナ１９と、情報が記録されるメモリが組み込まれかつ上記小型アンテナの中央開口に配されたＩＣチップ２０とを含む通信回路を備えていてよい。電子タグ１３は、図示の実施例においては、図２に示すように、表表紙１２の中央下部に設けられている。図２に示す書籍類１１において、１４は裏表紙、１５は背表紙、１６は前小口、１７は天、１８は地である。
【００２８】
棚板６〜８には、図４に棚板７として示すように、左右方向に細長いほぼ長方形状であって、これらの棚板６〜８上に並べられる書籍類１１に設けられた電子タグ１３と無線通信により交信するためのリーダライタ用アンテナ２１が設けられている。書棚１には、リーダライタ用アンテナ２１と電気信号などの情報をやりとりするためのリーダライタ本体２２が据え付けられていてよい。このようなリーダライタ本体２２は、図示の実施例においては、図１に示すように、天板５の上面に据え付けられているが、左右一対の側板２、３のうちの何れか一方の外側面、棚板６〜８の上面などに取付けられることもできる。リーダライタ用アンテナ２１は、図示の実施例においては、棚板６〜８の上面に形成されているが、棚板６〜８上に並べられる書籍類１１に直接に接触する機会を減らすために、例えば、リーダライタ用アンテナ２１の上面を含む棚板６〜８の上面を適当な絶縁材料から成る絶縁膜でもって被覆することができる。また、棚板６〜８の上下をひっくり返して使用することなどによって、棚板６〜８の下面にそれぞれ形成することもできる。図示の実施例においては、棚板６〜８のそれぞれの構成がアンテナパターン２１の形状を含めて実質的に互いに同一であるが、アンテナパターン２１の形状などの点で互いに構成が異なる棚板（例えば、図６、図７、図８および／または図１２に示す棚板）６〜８を共通の書棚１に取り混ぜて用いることもできる。
【００２９】
棚板６〜８に設けられているリーダライタ用アンテナ２１は、図４に示すように、ワンループなどのループ型のものであってよく、電磁結合方式の電子タグに対応したアンテナパターンからそれぞれ構成されている。リーダライタ用アンテナ２１は、棚板６〜８の上面にほぼループ形状（ただし、切れ目２３を有する形状）のアンテナパターン２５として形成された導電ペーストなどの薄膜から主として成っていてよい。このリーダライタ用アンテナ２１は、このほぼループ形状のアンテナパターン２５の両端部（すなわち、切れ目２３の両側部分）にそれぞれ連設された一対の端子部２４ａ、２４ｂをさらに備えている。これら一対の端子部２４ａ、２４ｂは、適当なリード線（図示せず）などによってリーダライタ本体２２にそれぞれ電気的に接続されていてよい。図示の実施例においては、リーダライタ用アンテナ２１のほぼループ形状のアンテナパターン２５は、ほぼ等幅に形成され、一対の端子部２４ａ、２４ｂも、必要に応じて、このほぼループ形状のアンテナパターン２５とほぼ等幅に形成されている。したがって、リーダライタ用アンテナを構成しているアンテナパターン２１は、図４に示すように、その両端部間に形成された切れ目２３を有するほぼループ形状のアンテナパターン２５と、このほぼループ形状のアンテナパターン２５の両端部にそれぞれ連設された一対の端子部２４ａ、２４ｂとから構成されている。
【００３０】
ほぼループ形状のアンテナパターン２５は、図４に示すように、端子部２４ａが連設されかつ棚板６〜８の後端３１の側に位置するパターン部分２６と、棚板６〜８の向かって左側端３２の側に位置するパターン部分２７と、棚板６〜８の前端３３の側に位置するパターン部分２８と、端子部２４ｂが連設されかつ棚板６〜８の向かって右側端３４の側に位置するパターン部分２９とが順次連設されたものであってよく、全体として、切れ目２３を除いてループ形状に構成されていてよい。ほぼループ形状のアンテナパターン２５は、その一部分と別の一部分とが交差する交差部位を有していないワンループのものが好ましい。なお、本文において、「交差」とは、電気的には接続交差していないが、上面から棚板６〜８を見た投影図において（換言すれば、平面的に見て）交差していることを意味している。
【００３１】
後端側パターン部分２６および前端側パターン部分２８のそれぞれは、棚板６〜８の長さ方向（換言すれば、間口方向および書籍類１１の通常の配列方向）に延びる長さ方向パターン部分である。左側パターン部分２７および右側パターン部分２９のそれぞれは、棚板６〜８の幅方向（換言すれば、奥行方向）に延びる幅方向パターン部分である。後端側パターン部分２６は、棚板６〜８のほぼ全長にわたって棚板６〜８の後端３１にほぼ沿って延びている。左側パターン部分２７および右側パターン部分２９のそれぞれは、棚板６〜８のほぼ全幅にわたって棚板６〜８の左側端３２および右側端３４にほぼ沿って延びている。したがって、後端側の長さ方向パターン部分２６、左側の幅方向パターン部分２７および右側の幅方向パターン部分２８によって、切れ目２３を有することを除いて扁平なほぼＵ字形状のパターン部分が形成されている。
【００３２】
前端側の長さ方向パターン部分２８は、図４に示すように、棚板６〜８のほぼ全長にわたってほぼジグザク状（換言すれば、ほぼ鋸歯状）に屈曲して延びていて、その両端部を左側および右側の幅方向パターン部分２７、２９の前端部にそれぞれ連設されている。前端側の長さ方向パターン部分２８は、連続的に順次繰り返される多数の屈曲部３５から実質的に構成されている。これら多数の屈曲部３５は、後端３１の側に向かって山形状（換言すれば、凸形状）に突出している。これら多数の屈曲部３５は、向かって最も右側の屈曲部３５ａを除いて、ほぼ二等辺三角形の山形状に形成されている。ただし、右側端の屈曲部３５ａのみは、このようにほぼ二等辺三角形を左右に二等分した左側の先細り形状のほぼ直角三角形の形状にほぼ等しい山形状に形成されている。この右側端の屈曲部３５ａは、棚板６〜８のほぼ長さ方向に延びている比較的短い連設パターン部分３６を介して右側パターン部分２９に連設されている。
【００３３】
屈曲部３５、３５ａは、図４に示すように、立上り部３７および立下り部３８からそれぞれ構成されることができる。棚板６〜８の長さ方向に対して屈曲部３５、３５ａの立上り部３７が成す角度αは、ほぼ６０°である。棚板６〜８の長さ方向に対して屈曲部３５の立下り部３８が成す角度βは、ほぼ１２０°である。棚板６〜８の長さ方向に対して屈曲部３５ａの立下り部３８が成す角度βは、ほぼ９０°である。したがって、屈曲部３５、３５ａの立上り部３７および立下り部３８のそれぞれは、棚板６〜８上に並べられる書籍類１１に設けられている電子タグ１３（換言すれば、小型アンテナ１９）の面に対して９０°またはその近傍の角度にはなりにくいパターン部位であるから、図９Ａおよび図９Ｂに関連して後述するように、リーダライタ用アンテナ２１が電子タグ１３との無線通信をきわめて良好に行うことができる。
【００３４】
図４において、前端側のパターン部分２８の前後方向における中心を通る中心直線３９について考察すれば、屈曲部３５、３５ａは、中心直線３９から後端３１の側に向かって突出しているほぼ三角形の山形状の屈曲部（換言すれば、凸形状部分）と、中心直線３９から前端３３の側に向かって突出しているほぼ三角形の山形状（換言すれば、図４におけるほぼ三角形の谷形状）の屈曲部とをそれぞれ構成していると見ることもできる。
【００３５】
図１〜図５に示す第１の実施例においては、前端側のパターン部分２６が棚板６〜８の長さ方向に対してほぼ６０°の角度を成す第１のパターン部位（すなわち、屈曲部３５、３５ａの立上り部３７）と、ほぼ１２０°の角度を成す第２のパターン部位（すなわち、屈曲部３５の立下り部３８）とが上記長さ方向に沿って順次隣接して配置されている。したがって、書籍類１１が、棚板６〜８の長さ方向に対して９０°の角度を成すように棚板６〜８上に正確に配置されてはおらず、多少傾斜して配置されていても、上記第１のパターン部位３７および上記第２のパターン部位３８のうちの少なくとも一方が、書籍類１１の電子タグ１３の面とほぼ９０°またはその近傍の角度を成す可能性が大きい。このために、リーダライタ用アンテナ２１は、書籍類１１が上述のように多少傾斜していても、電子タグ１３との無線通信を比較的良好に行うことができる。また、この点は、書籍類１１が棚板６〜８上にほぼ完全に寝かされた状態になっていても同様である。
【００３６】
したがって、本発明においては、一般的に、上述のような第１のパターン部位３７と上述のような第２のパターン部位３８とは、ほぼループ形状の部分２５のほぼ全長にわたって棚板６〜８の長さ方向（換言すれば、間口方向）において順次隣接するように、棚板６〜８に配設されているのが好ましい。この場合、上記第１のパターン部位３７と上記第２のパターン部位３８とは、棚板６〜８の幅方向（換言すれば、奥行方向）においては互いに離れていても、棚板６〜８の長さ方向において互いに隣接していればよい。したがって、上記第１のパターン部位３７が後端側のパターン部分２６に設けられるとともに、上記第２のパターン部位３８が前端側のパターン部分２８に設けられていてもよい。
【００３７】
さらに、本発明においては、一般的に、上記第１のパターン部位３７は、棚板６〜８の長さ方向に対して４０°〜８５°（さらに好ましくは、５０°〜７５°）の角度範囲で傾いているのが好ましく、上記第２のパターン部位３８は、棚板６〜８の長さ方向に対して９５°〜１４０°（さらに好ましくは、１０５°〜１３０°）の角度範囲で傾いているのが好ましい。また、上記第２のパターン部位３８の上記角度に対する上記第１のパターン部位３７の上記角度の差は、２０°〜７５°（さらに好ましくは、３０°〜６５°）の角度範囲であるのが好ましい。この場合、上記第１のパターン部位が屈曲部３５の立上り部３７から成るとともに、上記第２のパターン部位が共通の屈曲部３５の立下り部３８から成る多数の屈曲部３５が連続的または間欠的に順次繰り返して設けられていてよい。
【００３８】
（２）第２〜第４の実施例
棚板６〜８に設けられるリーダライタ用アンテナ２１を構成するアンテナパターンの形状などの構成は、図１〜図５に示す第１の実施例のものに限定されるものではなく、図６〜図８に示す第２〜第４の実施例によって例示するように各種の変更および修正が可能である。なお、図６〜図８に示す第２〜第４の実施例における書棚１および書籍類１１は、以下に記載する点を除いて、上述の第１の実施例における書棚１および書籍類１１と実質的に同一の構成であってよい。したがって、図６〜図８において、図１〜図５と共通の部分には、同一の符号を付してその説明を必要に応じて省略する。また、以下の記載においては、上段の棚板７についてのみ説明するが、残りの棚板６、８も、棚板７と実質的に同一の構成であってよいし、第１の実施例の場合と同様に、互いに構成が異なる棚板を共通の書棚１に取り混ぜて用いてもよい。
【００３９】
まず、図６に示す第２の実施例における棚板７について説明すると、この棚板７のリーダライタ用アンテナ２１のほぼループ形状のアンテナパターン２５の前端側のパターン部分２８のみが、ほぼジグザグ状（換言すれば、ほぼ鋸歯状）であることを除いて、図１〜図５に示す第１の実施例の場合とは異なっている。図示の実施例においては、具体的には、図１〜図５に示す第１の実施例の場合にはほぼ二等辺三角形の山形状に形成されている多数の屈曲部３５のそれぞれが、先細り形状のほぼ直角三角形の山形状に形成されている右側端の屈曲部３５ａとほぼ同一の形状を有するの２つの屈曲部３５から構成されている。そして、これらの屈曲部３５、３５ａが連続的に順次連設されている。したがって、これらの屈曲部３５、３５ａは、棚板７の長さ方向に対して成す角度αがほぼ６０°である立上り部３７と、棚板７の長さ方向に対して成す角度βが特に好ましいほぼ９０°である立下り部３８とからそれぞれ構成されている。
【００４０】
つぎに、図７に示す第３の実施例における棚板７について説明すると、この棚板７のリーダライタ用アンテナ２１のほぼループ形状のアンテナパターン２５の後端側のパターン部分２６および前端側のパターン部分２８のみが、図１〜図５に示す第１の実施例の場合とは異なっている。図示の実施例においては、具体的には、図１〜図５に示す第１の実施例の場合に較べて、前端側のパターン部分２８の多数の屈曲部３５が多少小さく構成されて数が多くなるとともに、右側端の屈曲部３５ａが他の屈曲部３５とほぼ同形に構成されている。また、後端側のパターン部分２６は、棚板７の前後方向における中心を通る中心直線４０に対して前端側のパターン部分２８とほぼ線対称に構成されている。したがって、後端側のパターン部分２６は、書籍類１１の前小口１６の側に位置する多数の屈曲部３５、３５ａを有し、前端側のパターン部分２８は、書籍類１１の背表紙１５の側に位置する多数の屈曲部３５、３５ａを有している。これらの屈曲部３５、３５ａは、棚板７の長さ方向に対して成す角度αがほぼ６０°である立上り部３７と、棚板７の長さ方向に対して成す角度がほぼ１２０°である立下り部３８とからそれぞれ構成されている。
【００４１】
上述のように構成された図７に示す第３の実施例においては、後端側のパターン部分２６が棚板７の中心直線４０に対して前端側のパターン部分２８とほぼ線対称に構成されている。しかし、後端側のパターン部分２６は、前端側のパターン部分２８を前方から後方へ向かってほぼ平行移動させた形状であってもよい。この場合、この平行移動の距離は、前端側のパターン部分２８の中心直線３９と後端側のパターン部分２６の中心直線３９との間隔とほぼ同一であってよい。
【００４２】
上述のように構成された図６に示す第２の実施例および図７に示す第３の実施例によれば、屈曲部３５、３５ａ（換言すれば、ほぼループ形状の部分２５）は、棚板７の長さ方向に対して６０°、９０°または１２０°の角度を成すパターン部位を図１〜図５に示す第１の実施例の場合よりも多く有している。したがって、これら第２および第３の実施例においては、リーダライタ用アンテナ２１が電子タグ１３との無線通信を上記第１の実施例の場合よりもさらに良好に行うことができる。
【００４３】
つぎに、図８に示す第４の実施例における棚板７について説明すると、この棚板７のリーダライタ用アンテナ２１のほぼループ形状のアンテナパターン２５の前端側のパターン部分２８のみが、図１〜図５に示す第１の実施例の場合とは異なっている。図示の実施例においては、具体的には、図１〜図５に示す第１の実施例の場合においてほぼ三角形の山形状に形成されていた多数の屈曲部３５、３５ａが、ほぼ長方形の山形状（換言すれば、凸形状）に形成されている。そして、これら多数の屈曲部３５、３５ａは、棚板７のほぼ長さ方向に延びている連設パターン部分４１によって順次連設されている。したがって、これらの屈曲部３５、３５ａは、棚板７の長さ方向に対して成す角度αがほぼ９０°である立上り部３７と、棚板７の長さ方向に対して成す角度βがほぼ９０°である立下り部３８とからそれぞれ構成されている。
【００４４】
上述のように構成された図８に示す第４の実施例によれば、屈曲部３５、３５ａ（換言すれば、ほぼループ形状のアンテナパターン２５）は、棚板７の長さ方向に対してほぼ９０°の角度を成すパターン部位（換言すれば、立上り部３７および立下り部３８）を多数有している。したがって、この第４の実施例においては、リーダライタ用アンテナ２１のほぼループ形状のアンテナパターン２５が比較的簡単な形状であるにもかかわらず、リーダライタ用アンテナ２１が電子タグ１３との無線通信を比較的良好に行うことができる。
【００４５】
図８において、前端側のパターン部分２８の前後方向における中心を通る中心直線３９について考察すれば、屈曲部３５、３５ａは、中心直線３９から後端３１の側に向かって突出しているほぼ長方形の山形状（すなわち、元の屈曲部３５、３５ａの上半分の形状）の屈曲部と、中心直線３９から前端３３の側に向かって突出しているほぼ長方形の山形状（すなわち、連設パターン部分４１を頂辺とするほぼ長方形の山形状であって、換言すれば、図８におけるほぼ長方形の谷形状）の屈曲部とをそれぞれ構成していると見ることもできる。
【００４６】
図８に示す第４の実施例においては、後端側のパターン部分２６は、棚板７のほぼ長さ方向に沿ってほぼ直線状に延びている。このために、ほぼループ形状のアンテナパターン２５のうちの屈曲部３５、３５ａの頂辺４２が存在する上記長さ方向における第１の区間と、連設パターン部分４１が存在する上記長さ方向における第２の区間とには、前記所定角度範囲で傾いているパターン部位は存在しない。したがって、これら第１および第２区間の上記長さ方向におけるそれぞれの長さ（換言すれば、頂辺４２および連設パターン部分４１のそれぞれの長さ）は、リーダライタ用アンテナ２１が電子タグ１３との無線通信を比較的良好に行うことができるように、比較的短く設定されるのが好ましい。
【００４７】
したがって、本発明においては、一般的に、上記第１および第２の区間（ならびに上記長さ方向における図４および図６の連設パターン部分３６の区間）のように、ほぼループ形状のアンテナパターン２５のうちの上記長さ方向における上記パターン部位が存在しない区間のそれぞれの長さ（換言すれば、頂辺４２および連設パターン部分４１のそれぞれの長さ）は、１５ｃｍ以下であるのが好ましく、１０ｃｍ以下であるのがさらに好ましく、５ｃｍ以下であるのが特に好ましい。
【００４８】
（３）通信可能距離測定実験
図９Ａは、図１に示す第１〜第４の実施例において用いられる書籍類１１に設けられた電子タグ１３に対するリーダライタ用アンテナ２１のほぼループ形状のアンテナパターン２５の長さ方向パターン部分２６の通信可能距離（縦軸）を示している。横軸は、図９Ｂに示すように、電子タグ１３の中心位置（換言すれば、電子タグ１３に組み込まれている小型アンテナ１９（図５参照）の中心位置）から長さ方向パターン部分２６までの最短距離ｘである。この場合、長さ方向パターン部分２６の長さ方向に対して電子タグ１３の面が成す角度θを６通り（すなわち、０°、１５°、３０°、４５°、６０°および７５°）に変えるとともに、これら６通りの角度θについて電子タグ１３と長さ方向パターン部分２６との間の距離ｘを変化させることによって、それぞれの位置における通信可能距離を測定した。この測定は、リーダライタ用アンテナ２１のほぼループ形状のアンテナパターン２５の内部（図９Ａの左側半分）だけでなく、外側（図９Ａの右側半分）についても行った。角度θが０°であることは、図９Ｂに示すパターン部分２６の長さ方向が電子タグ１３の面に対して平行であることを意味している。
【００４９】
上記図９Ａに示す通信可能距離のグラフから、θ＝４５°では通信可能距離が多少低下し、θ＝６０°では通信可能距離がかなり低下することが判る。特に、θ＝６０°では、距離ｘが３０ｍｍ程度を越えると、通信可能距離が急激に低下することが判る。このことから、書棚１の棚板６〜８の長さ方向に対してパターン部分２６の長さ方向が成す図４および図６〜図８に示す角度α、β（この角度α、βと、電子タグ１３の面に対してパターン部分２６の成す角度θとの間には、一般的に、α（またはβ）＝９０°−θの関係がほぼ成立する。）については、４０°≦α（またはβ）≦１４０°の関係が成立するのが好ましく、５０°≦α（またはβ）≦１３０°の関係が成立するのがさらに好ましいことが判る。
【００５０】
書籍類１１は、棚板６〜８上に並べられる際に、棚板６〜８の長さ方向に対して９０°を成すように正確に並べられるとは限らない。したがって、角度αまたはβは、９０°またはその近傍の角度であるのが特に好ましいとは限らない。
【００５１】
（４）第５の実施例
図１０および図１１には、図８に示す第４の実施例の変形例が示されている。また、図１２および図１３には、本発明を適用した第５の実施例が示されている。さらに、図１４および図１５には、本発明を説明するための参考例が示されている。以下において、図１２および図１３に示す第５の実施例についての説明に先立って、図１０および図１１に示す第４の実施例の変形例と図１４およぼ図１５に示す参考例とについて順次説明する。なお、これら第４の実施例の変形例、第５の実施例および参考例における書棚１および書籍類１１は、以下に記載する点を除いて、既述の第１の実施例における書棚１および書籍類１１と実質的に同一の構成であってよい。したがって、図１０〜図１５において、図１〜図５と共通の部分には、同一の符号を付してその説明を必要に応じて省略する。ただし、図１０〜図１５においては、図示を明瞭にするために、リーダライタ用アンテナ２１を白抜きで示している。また、以下の記載においては、上段の棚板７についてのみ説明するが、残りの棚板６、８も、棚板７と実質的に同一の構成であってよいし、第１の実施例の場合と同様に、互いに構成が異なる棚板を共通の書棚１に取り混ぜて用いてもよい。
【００５２】
図８に示す第４の実施例において、棚板６〜８にそれぞれ設けられるリーダライタ用アンテナ２１における屈曲部３５、３５ａの個数を低減させることによって、リーダライタ用アンテナ２１自体の性能を向上させるとともに製造コストを低減させることが考えられる。このように屈曲部３５、３５ａの個数を低減させた第４の実施例の変形例が図１０および図１１に示されている。図１０および図１１に示す変形例において、図８に示す第４の実施例と実質的に相違している点は、屈曲部３５、３５ａの数が低減しているのに対応して頂面４２（および場合によっては連設パターン部分４１）の長さが増大していることである。そして、図１０および図１１においては、それぞれの頂面４２とそれぞれの連設パターン部分４１との長さが互いにほぼ同一になっている。
【００５３】
しかし、図１０に示す棚板７の場合には、図１１においてハーフトーンで示すように、電子タグ１３（図３および図５参照）との通信可能領域４３がかなり広範囲に存在しているが、通信不可領域４４も比較的多くなる。このような通信不可領域４４は、「（２）第２〜第４の実施例」の項において図８に示す第４の実施例に関連して説明したように、屈曲部３５、３５ａの頂辺４２が存在する前記長さ方向における第１の区間と、連設パターン部分４１が存在する前記長さ方向における第２の区間との前記長さ方向における中央部分において主として生じる
【００５４】
図１４に示す棚板７は、〔発明が解決しようとする課題〕の欄に記載したように、リーダライタ用アンテナ２１のほぼループ形状のアンテナパターン２５が棚板７の長さ方向に細長いほぼ長方形状の単純ループ型に構成されている。そして、この図１４に示す棚板７の場合には、図１５においてハーフトーンで示すように、電子タグ１３（図３および図５参照）との通信不可領域４４が非常に多い。そして、書棚１の書籍収納空間のうちの書籍類１１の取り出し側（すなわち、前面側）から見た左右両側付近に或る程度の通信可能領域４３が存在するだけである。
【００５５】
上述のとおりであるから、図１０および図１１に示す変形例の場合には、図１４および図１５に示す参考例に較べると、棚板７上に並べられる書籍類１１の電子タグ１３とのリーダライタ用アンテナ２１の通信可能領域４３は、棚板７において広範囲に存在しているが、通信不可領域４４も比較的多く存在しているので、このような通信不可領域４４をできるだけ低減させた方が好ましい。
【００５６】
図１２および図１３に示す第５の実施例は、このような通信不可領域４４の低減を目的として案出されたものである。この第５の実施例においては、図１０に示すようなリーダライタ用アンテナ２１を棚板７の表裏に１個づつ、計２個設けている。具体的には、棚板７の上面には、図１０に示すリーダライタ用アンテナ２１と実質的に同一の形状であってよい表側のリーダライタ用アンテナ２１ａが設けられている。また、棚板７の下面には、図１０に示すリーダライタ用アンテナ２１と類似した形状であってよい裏側のリーダライタ用アンテナ２１ｂが設けられている。図１２および図１３においては、裏側のリーダライタ用アンテナ２１ｂは、点線で示されている。なお、これら一対のアンテナ２１ａ、２１ｂは、両者の間に適当な絶縁材料から成る中間絶縁膜を介在させることによって、棚板７の表裏のうちのいずれか一方の面に設けるか、あるいは、棚板７の厚み方向における中間部分に埋設してもよい。図１２および図１３において、符号３９ａ、３９ｂは、それぞれ、リーダライタ用アンテナ２１ａ、２１ｂの前後方向における中心を通る中心線である。
【００５７】
図１２において、裏側のリーダライタ用アンテナ２１ｂが平面的に見て表側のリーダライタ用アンテナ２１ａと実質的に相違している点は、つぎの（ｉ）項〜（ｉｉｉ）項に記載のとおりである。
（ｉ）アンテナ２１ａの屈曲部３５、３５ａが前端側のパターン部分２８に設けられているのに対し、アンテナ２１ｂの屈曲部３５、３５ａが後端側のパターン部分２６に設けられていること、
（ｉｉ）アンテナ２１ｂの屈曲部３５、３５ａがアンテナ２１ａの屈曲部３５、３５ａに対して棚板７の長さ方向において向かって右側にほぼ１／２ピッチずつずれていること、および
（ｉｉｉ）アンテナ２１ｂの左側パターン部分２７がアンテナ２１ａの左側パターン部分２７に対して棚板７の長さ方向において向かって左側にほぼ１／２ピッチ（このピッチは、屈曲部３５、３５ａの間隔を意味している。）ずつずれていること。
【００５８】
したがって、平面的に見て、棚板７の向かって左側から向かって右側にかけて、アンテナ２１ａの左側パターン部分２７、アンテナ２１ｂの右側パターン部分２７、アンテナ２１ａの屈曲部３５の立上り部３７、アンテナ２１ｂの屈曲部３５の立上り部３７、アンテナ２１ａの屈曲部３５の立下り部３８、アンテナ２１ｂの屈曲部３５の立下り部３８、アンテナ２１ａの屈曲部３５ａの立上り部３７、アンテナ２１ｂの屈曲部３５ａの立上り部３７、アンテナ２１ａの屈曲部３５ａの立下り部３８、アンテナ２１ｂの屈曲部３５の立下り部３８およびアンテナ２１ａ、２１ｂの右側パターン部分２９が、前記ほぼ１／２ピッチずつずれて順次配設されている。また、アンテナ２１ａの屈曲部３５、３５ａの頂面４２は、平面的に見て、アンテナ２１ｂの屈曲部３５、３５ａの立上り部３７とそれぞれほぼ直交している。そして、アンテナ２１ｂの屈曲部３５、３５ａの頂面４２は、平面的に見て、アンテナ２１ａの屈曲部３５、３５ａの立下り部３８とそれぞれほぼ直交している。
【００５９】
上述のとおりであるから、図１２に示す棚板７において、前記所定角度範囲で傾いているパターン部位が存在しない棚板７の長さ方向における区間は、連設パターン部分４１または頂辺４２の長さから、頂辺４２または連設パターン部分４１の長さの約１／２の長さを差し引いた長さに低減する。したがって、図１２に示す棚板７においては、図１３においてハーフトーンで示すように、電子タグ１３（図３および図５参照）との通信不可領域４４が非常に少なくて、通信可能領域４３が非常に多いので、実用的に何ら問題がない。
【００６０】
つぎに、アンテナ１９、２１の位置関係と通信可能領域４３とについて説明すると、電磁誘導方式を用いた通信技術においては、リーダライタ用アンテナ２１から発せられる磁束を電子タグ１３のループ型の小型アンテナ１９で受け取ることによって、両者の通信が可能になる。したがって、リーダライタ用アンテナ２１の中心付近では、電子タグ１３の小型アンテナ１９がリーダライタ用アンテナ２１と正対した位置関係（換言すれば、２個のアンテナ１９、２１のそれぞれの面が互いに平行な状態）において最大通信距離が得られる。これとは逆に、２つのアンテナ１９、２１のそれぞれの面が互いに直交した状態においては、通信ができなくなる。一方、リーダライタ用アンテナ２１のアンテナ線（換言すれば、アンテナパターン）２５付近では、このアンテナ線を中心に磁界が形成されるために、電子タグ１３の小型アンテナ１９が上記磁界と直交する状態（２つのアンテナ１９、２１のそれぞれの面が直交する状態）にあるときに、通信距離が最大になる。
【００６１】
したがって、棚板６〜８の面に単純ループ型に構成されたアンテナパターン２５を有するリーダライタ用アンテナ２１の場合には、表表紙または裏表紙に貼られた電子タグ１３は、書籍類１１が棚板６〜８上に通常の状態で立てて置かれたとき、図１５に示すように、書籍類１１の出し入れ面側から見た棚板６〜８の左右両側付近でしか通信ができず、棚板６〜８の長さ方向における中心部分は通信不能になる。
【００６２】
図１２に示すような一対のリーダライタ用アンテナ２１ａ、２１ｂの位置関係は、つぎの（ア）項〜（ウ）項に記載するようにして決定すればよい。
（ア）まず、第１のアンテナ２１ａに対して電子タグ１３を所定の位置関係になるように配置して、棚板７の全域にわたって、通信可能領域であるのか、あるいは、通信不可領域であるのかを評価する。
（イ）ついで、第２のアンテナ２１ｂについても、上記（ア）項に記載したのと同様の評価を行う。（この場合、第２のアンテナ２１ｂのほぼループ状のアンテナパターン２５が第１のアンテナ２１ａのほぼループ状のアンテナパターン２５と実質的に同一であれば、第１のアンテナ２１ａについての評価を第２のアンテナ２１ｂの評価に援用することができる。）
（ウ）第１のアンテナ２１ａの通信不可領域を第２のアンテナ２１ｂの通信可能領域で補うように、両方のアンテナ２１ａ、２１ｂの相互の位置関係を選定して、両者を互いに平行に重ねる。
【００６３】
上述の第５の実施例においては、棚板７にリーダライタ用アンテナ２１を２個（換言すれば、２組）設けたが、互いに絶縁された状態で３個以上の複数個設けることもできる。また、リーダライタ用アンテナ２１を複数個（上記第５の実施例を含む。）設ける場合には、これら複数個のアンテナ２１ａ、２１ｂを交互にまたは順次に切り換えて動作させると、複数個のアンテナ２１ａ、２１ｂの相互の干渉を防止することができる。なお、図１３に示す通信可能領域４３および通信不可領域４４の測定も、このように一対のアンテナ２１ａ、２１ｂを交互に切り換えて動作させることによって得られたものである。また、リーダライタ用アンテナ２１を複数個設ける場合には、ツイストペアケーブル、同軸ケーブルなどを用いて切替器を通して１台のリーダライタ本体２２と接続してもよいし、複数個のリーダライタ用アンテナを複数個のリーダライタ本体に個別に接続してもよい。さらに、書棚１の複数段の棚板６〜８にそれぞれ形成された２個のリーダライタ用アンテナのうちの一方（例えばアンテナ２１ａ）を一括してリーダライタ本体２２に接続するとともに、他方（例えばアンテナ２１ｂ）を同一または別のリーダライタ本体に一括して接続することもできる。この場合、リーダライタ本体は、ケーブルによってパソコンと接続されて、このパソコンによって管理されることができる。
【００６４】
また、上述の第５の実施例においては、リーダライタ用アンテナ２１ａには前端側のパターン部分２８に屈曲部３５、３５ａを設けるとともに、リーダライタ用アンテナ２１ｂには後端側のパターン部分２６に屈曲部３５、３５ａを設けた。しかし、リーダライタ用アンテナ２１ａ、２１ｂの前端側パターン部分２８のみにそれぞれ屈曲部３５、３５ａを設けてもよいし、後端側パターン部分２６のみにそれぞれ屈曲部３５、３５ａを設けてもよい。さらに、アンテナ２１ａとアンテナ２１ｂとは、平面的に見て、互いにほぼ同一のパターン形状であったり、あるいは、類似したパターン形状であったりする必要は必ずしもない。
【００６５】
また、上述の第５の実施例においては、棚板６〜８の表裏にリーダライタ用アンテナ２１ａ、２１ｂをそれぞれ設けた。しかし、棚板６〜８をそれぞれ構成するガラス、合成樹脂などの非金属性の２枚の基板（例えば、ガラス製基板）にアンテナ２１ａ、２１ｂをそれぞれ形成するとともに、２個のアンテナ２１ａ、２１ｂが適当な絶縁材料から成る中間絶縁膜を介してこれら２枚の基板の間に重ね合わせられるように、これら２枚の基板を接着などにより結合してもよいし、２枚の基板のアンテナ形成面を同方向に向けて互いに結合することによって、２個のアンテナ２１ａ、２１ｂを２枚の基板のうちの一方の基板により電気的に互いに絶縁するようにして、ガラス製棚板などの棚板６〜８を作成してもよい。
【００６６】
以上において、本発明の第１〜第５の実施例について詳細に説明したが、本発明は、これらの実施例に限定されるものではなく、特許請求の範囲に記載された発明の趣旨に基づいて各種の変更および修正が可能である。
【００６７】
例えば、既述の第１〜第５の実施例においては、上下に３段の棚板６〜８を書棚１に設けたが、棚板は、必ずしも上下に３段設けられる必要はなく、２段または４段以上の別の複数段を上下に設けてもよく、場合によっては、１段だけでもよい。
【００６８】
また、既述の第１〜第３の実施例においては、多数の屈曲部３５、３５ａを長さ方向パターン部分２６および／または２８に連続的に順次繰り返して形成するとともに、既述の第４および第５の実施例においては、多数の屈曲部３５、３５ａを長さ方向パターン部分２８に間欠的に順次繰り返して形成した。しかし、多数の屈曲部３５、３５ａが連続的に順次繰り返して形成される部分と、間欠的に順次繰り返して形成される部分とを共通の長さ方向パターン部分２６および／または２８に同時に設けてもよい。
【００６９】
また、既述の第１〜第５の実施例においては、長さ方向パターン部分２６および／または２８の実質的にほぼ全長にわたって多数の屈曲部３５、３５ａを形成した。しかし、一方の長さ方向パターン部分２６の一部分または複数部分に１つまたは複数の屈曲部３５、３５ａが形成されるとともに、他方の長さ方向パターン部分２８のうちの棚板６〜８の長さ方向における残りの一部分または残りの複数部分に１つまたは複数の屈曲部３５、３５ａが形成されるようにしてもよい。このようにすれば、多数の屈曲部３５、３５ａが、棚板６〜８の長さ方向におけるほぼ全長にわたって、一方の長さ方向パターン部分２６および他方の長さ方向パターン部分２８のうちの少なくとも一方（例えば、長さ方向パターン部分２８と長さ方向パターン部分２６とに交互）に連続的または間欠的に順次繰り返して形成されるようにすることができる。
【００７０】
また、既述の第１〜第５の実施例においては、リーダライタ用アンテナ２１のほぼループ形状のアンテナパターン２５は、一回巻きのものとしたが、渦巻き状に複数回巻回させた複数回巻きのものであってもよい。この場合、アンテナパターン２５は、その一部分と別の一部分とが交差する交差部位を有していないのが好ましい。
【００７１】
また、既述の第１〜第５の実施例においては、ほぼ三角形の山形状の屈曲部３５、３５ａの頂角部位、２つの屈曲部３５、３５ａの継ぎ目部位、ほぼ長方形の山形状の屈曲部３５、３５ａの頂辺４２の両角部位などを尖った形状にした。しかし、これらの部位の一つまたは複数もしくは全部が丸みを帯びた形状であってもよい。
【００７２】
また、既述の第１〜第５の実施例においては、屈曲部３５、３５ａをほぼ三角形またはほぼ長方形の山形状に構成した。しかし、屈曲部３５、３５ａは、ほぼ正弦波形状、ほぼ楕円形状、ほぼ半円形状などであってもよい。
【００７３】
また、既述の第１〜第５の実施例においては、ほぼ同形または多少類似した形状の屈曲部３５、３５ａが長さ方向パターン部分２６、２８に連続的または間欠的に順次繰り返して形成されている。しかし、例えば、ほぼ三角形の山形状の屈曲部とほぼ長方形の山形状の屈曲部とが共通の長さ方向パターン部分２６または２８に混在するように、屈曲部３５、３５ａが長さ方向パターン部分２６および／または２８に連続的または間欠的に順次繰り返して形成されていてもよい。
【００７４】
また、既述の第１〜第５の実施例においては、リーダライタ用アンテナを構成しているアンテナパターン２１をその全体にわたってほぼ等幅に構成した。しかし、このアンテナパターン２１中に部分的に幅の広いパターン部分や部分的に幅の狭いパターン部分が存在していてもよく、このことは、アンテナパターン２１の厚みについても同様である。
【００７５】
さらに、既述の第１〜第５の実施例においては、棚板６〜８を細長いほぼ長方形状として。しかし、棚板６〜８は、ほぼ円弧形状、ほぼ円形状、ほぼＵ字形状、ほぼＶ字形状などの屈曲、湾曲または折曲した非直線性形状であってもよい。この場合、棚板６〜８上の書籍収納空間や棚板６〜８の長さ方向および間口方向も、同様に、ほぼ円弧形状、ほぼ円形状、ほぼＵ字形状、ほぼＶ字形状などの屈曲、湾曲または折曲した非直線性形状になる。
【図面の簡単な説明】
【００７６】
【図１】本発明を書籍類の管理システムに適用した第１の実施例における書棚の斜視図である。（実施例１）
【図２】図１に示す書籍類の斜視図である。（実施例１）
【図３】図１に示す書棚のうちの上段の棚板部分の斜視図である。（実施例１）
【図４】図３に示す上段の棚板の平面図である。（実施例１）
【図５】図２に示す電子タグの詳細な拡大図である。（実施例１）
【図６】本発明を適用した第２の実施例における棚板の、図４と同様の平面図である。（実施例２）
【図７】本発明を適用した第３の実施例における棚板の、図４と同様の平面図である。（実施例３）
【図８】本発明を適用した第４の実施例における棚板の、図４と同様の平面図である。（実施例４）
【図９Ａ】図１〜図８に示す第１〜第４の実施例において用いられる書籍類に設けられた電子タグに対するリーダライタ用アンテナの通信可能距離を示すグラフである。（実施例１〜４）
【図９Ｂ】図９Ａに示すグラフを説明するために図１〜図８に示す第１〜第４の実施例において用いられる書籍類と電子タグとの位置関係を概略的に示す斜視図である。（実施例１〜４）
【図１０】図８に示す第４の実施例の変形例における棚板の図４と同様の平面図である。（実施例４の変形例）
【図１１】図１０に示す棚板の、電子タグとの通信不可領域を書き加えた状態における平面図である。（実施例４の変形例）
【図１２】本発明を適用した第５の実施例における棚板の、図４と同様の平面図である。（実施例５）
【図１３】図１２に示す棚板の、図１１と同様の状態における平面図である。（実施例５）
【図１４】本発明を説明するための参考例における棚板の、図４と同様の平面図である。（参考例１）
【図１５】図１４に示す棚板の、図１１と同様の状態における平面図である。（参考例１）
【符号の説明】
【００７７】
１      書棚
６      底板（下段の棚板）
７      上段の棚板
８      中段の棚板
１１    書籍類
１２    表表紙
１３    電子タグ
１４    裏表紙
２１    リーダライタ用アンテナ
２１ａ  表側のリーダライタ用アンテナ
２１ｂ  裏側のリーダライタ用アンテナ
２５    ほぼループ形状のアンテナパターン
２６    後端側のパターン部分（長さ方向パターン部分）
２８    前端側のパターン部分（長さ方向パターン部分）
３５    屈曲部
３５ａ  向かって右側端の屈曲部
３７    立上り部
３８    立下り部
４３    通信可能領域
４４    通信不可領域
【図１】
2006235946.tif 000003
【図２】
2006235946.tif 000004
【図３】
2006235946.tif 000005
【図４】
2006235946.tif 000006
【図５】
2006235946.tif 000007
【図６】
2006235946.tif 000008
【図７】
2006235946.tif 000009
【図８】
2006235946.tif 000010
【図９Ａ】
2006235946.tif 000011
【図９Ｂ】
2006235946.tif 000012
【図１０】
2006235946.tif 000013
【図１１】
2006235946.tif 000014
【図１２】
2006235946.tif 000015
【図１３】
2006235946.tif 000016
【図１４】
2006235946.tif 000017
【図１５】
2006235946.tif 000018